(57)【要約】【課題】照明装置本体に取り付ける電源ユニットの位置を取付工事段階で簡単に調節できる、照明装置本体に電源ユニットを取り付けるための電源ユニット取付部材及び照明装置を提供する。【解決手段】照明装置本体１に電源ユニット２を取り付けるための電源ユニット取付部材３は、照明装置本体１が取り付けられる第１取付プレート３１と、電源ユニット２が取り付けられる第２取付プレート３２と、第１取付プレート３１と第２取付プレート３２とを連結する連結部３３と、を備える。第１取付プレート３１と連結部３３とが第１ヒンジ連結部３４を介して折り重ね可能に連結されており、第２取付プレート３２と連結部３３とが第２ヒンジ連結部３５を介して折り重ね可能に連結されている。【選択図】図１
2019197623.tif 000002
【特許請求の範囲】
【請求項１】
照明装置本体に電源ユニットを取り付けるための電源ユニット取付部材であって、
前記照明装置本体が取り付けられる第１取付部と、
前記電源ユニットが取り付けられる第２取付部と、
前記第１取付部と前記第２取付部とを連結する連結部と、を備え、
前記第１取付部と前記連結部とが第１ヒンジ連結部を介して折り重ね可能に連結されており、
前記第２取付部と前記連結部とが第２ヒンジ連結部を介して折り重ね可能に連結されていることを特徴とする電源ユニット取付部材。
【請求項２】
前記第１ヒンジ連結部の回動軸と前記第２ヒンジ連結部の回動軸とが平行であることを特徴とする、請求項１に記載の電源ユニット取付部材。
【請求項３】
前記第１取付部及び前記連結部がいずれも平板形状を有しており、
前記第１取付部の一端辺と、前記連結部の一端辺とが、前記第１ヒンジ連結部を介して連結されていることを特徴とする、請求項１又は２に記載の電源ユニット取付部材。
【請求項４】
前記第２取付部及び前記連結部がいずれも平板形状を有しており、
前記第２取付部の一端辺と、前記連結部の一端辺とが、前記第２ヒンジ連結部を介して連結されていることを特徴とする、請求項１〜３のいずれか一項に記載の電源ユニット取付部材。
【請求項５】
前記連結部がＮ個のリンク構成部材とＮ−１個のリンク連結部とを備え、
前記Ｎ個のリンク構成部材のそれぞれが前記Ｎ−１個のリンク連結部を介して隣接するリンク構成部材と折り重ね可能に連結されていることを特徴とする、請求項１〜４のいずれか一項に記載の電源ユニット取付部材。
【請求項６】
前記Ｎ個のリンク構成部材がいずれも平板形状を有しており、
前記Ｎ個のリンク構成部材のそれぞれの一端辺と、隣接するリンク構成部材の一端辺とが、前記Ｎ−１個のリンク連結部を介して連結されていることを特徴とする、請求項５に記載の電源ユニット取付部材。
【請求項７】
光源となるＬＥＤ素子が実装されたＬＥＤ実装基板を備えた照明装置本体と、
前記ＬＥＤ実装基板に電力を供給する電源ユニットと、
前記請求項１〜６のいずれか一項に記載の電源ユニット取付部材と、を備え、
前記電源ユニット取付部材によって前記照明装置本体に前記電源ユニットが取り付けられている照明装置。
【請求項８】
前記電源ユニット取付部材が、前記照明装置本体の長手方向中心を外した位置に取り付けられていることを特徴とする、請求項７に記載の照明装置。
【請求項９】
前記電源ユニット取付部材が、前記照明装置本体の短手方向中心を外した位置に取り付けられていることを特徴とする、請求項７又は８に記載の照明装置。
【請求項１０】
前記電源ユニット取付部材が、前記照明装置本体に対してその取付面上を回動可能に取り付けられていることを特徴とする、請求項７〜９のいずれか一項に記載の照明装置。
【請求項１１】
前記電源ユニットが、前記電源ユニット取付部材に対してその取付面上を回動可能に取り付けられていることを特徴とする、請求項７〜１０のいずれか一項に記載の照明装置。
【発明の詳細な説明】
【技術分野】
【０００１】
本発明は、照明装置本体に電源ユニットを取り付けるための電源ユニット取付部材、及びそれを用いた照明装置に関する。
【背景技術】
【０００２】
近年、発光ダイオード（ＬＥＤ；Ｌｉｇｈｔ  Ｅｍｉｔｔｉｎｇ  Ｄｉｏｄｅ）等の発光素子を光源として用いる照明装置が普及している。天井面に取り付けられるＬＥＤを光源とした照明装置としては、例えば、板状の導光板の側端面に対向して線状に配列された光源を配置して導光板内に光を入射し、光源の配置された側端面に隣接する二面の平板面のいずれかから光を外部に射出して面状に発光させる平板照明装置や、天井面に取り付けられた取付部材（ベース部材）に、ＬＥＤ実装基板が内蔵されたカバーユニットを着脱自在に取り付けてなるベースライトと呼ばれる照明装置等が知られている。
【０００３】
このようなＬＥＤを光源とした照明装置の場合、光源を駆動するための電力を光源部に供給するための電源ユニットが、光源部の裏側（すなわち平板照明装置であれば導光板の天井面側、ベースライトであればＬＥＤ実装基板の裏側）に取り付けられている。例えば特許文献１には、平板照明装置の導光板の天井面側に電源ユニットが取り付けられている様子が開示されている。
【先行技術文献】
【特許文献】
【０００４】
【特許文献１】特開２０１４−０１７１４９号公報
【発明の概要】
【発明が解決しようとする課題】
【０００５】
通常、建造物の天井面には、石膏ボード等を用いた天井板の内側に、Ｃ型鋼等を格子状に組み上げて構成された天井部材が設けられている。このような天井面に照明装置を取り付ける場合、図９に示すように、取り付ける照明装置の大きさに合わせた開口部を天井板に設け、天井部材から鉛直方向下向きに伸びる吊りボルトを用いて取付金具を当該開口部の位置に合わせて設置する。その取付金具にＶ字バネ等を用いて照明装置を取り付けることにより、照明装置が天井面に取り付けられるが、取付金具や照明装置に取り付けられた電源ユニットの大きさや位置によっては、電源ユニットが取付金具や天井部材と干渉してしまい、照明装置を天井面に取り付けることができなくなる。
【０００６】
また、天井板を石膏ボード等の板状のものではなく、天井裏が意匠的に見えるようにすべく、金属棒を格子状に配置したメッシュパネル天井とすることがある。このようなメッシュパネル天井に照明装置を取り付ける場合、図１０に示すように、メッシュパネルに取付金具をフック等で取り付け、その取付金具にＶ字バネ等を用いて照明装置を取り付けることにより、照明装置が天井面に取り付けられるが、取付金具の厚みを抑えたとしても、電源ユニットの高さが取付金具の厚み以上となれば、その分照明装置が床方向に張り出してしまい、見栄えが悪くなってしまう。電源ユニットの高さを抑えることにより幾らかはこの問題を解決することができるものの、電源ユニットを小さくすることにより放熱性が悪くなり、あるいは特殊な部品を使用せざるを得なくなってコストが嵩んでしまうという新たな問題が生じる。
【０００７】
本発明は、このような点に鑑みてなされたものであり、照明装置本体に取り付ける電源ユニットの位置を取付工事段階で簡単に調節できる、照明装置本体に電源ユニットを取り付けるための電源ユニット取付部材及び照明装置を提供することを目的とする。
【課題を解決するための手段】
【０００８】
上記目的を達成するために、本発明は第一に、照明装置本体に電源ユニットを取り付けるための電源ユニット取付部材であって、前記照明装置本体が取り付けられる第１取付部と、前記電源ユニットが取り付けられる第２取付部と、前記第１取付部と前記第２取付部とを連結する連結部と、を備え、前記第１取付部と前記連結部とが第１ヒンジ連結部を介して折り重ね可能に連結されており、前記第２取付部と前記連結部とが第２ヒンジ連結部を介して折り重ね可能に連結されていることを特徴とする電源ユニット取付部材を提供する（発明１）。
【０００９】
上記発明（発明１）によれば、電源ユニット取付部材を第１取付部、第２取付部、連結部、第１ヒンジ連結部、第２ヒンジ連結部からなるリンク機構によって構成することにより、照明装置本体に対する電源ユニットの位置を、例えば１８０度反転した位置に移動させる等、容易に移動させることができるため、照明装置本体に取り付ける電源ユニットの位置を取付工事段階で簡単に調節できる。
【００１０】
上記発明（発明１）においては、前記第１ヒンジ連結部の回動軸と前記第２ヒンジ連結部の回動軸とが平行であることが好ましい（発明２）。
【００１１】
上記発明（発明１、２）においては、前記第１取付部及び前記連結部がいずれも平板形状を有しており、前記第１取付部の一端辺と、前記連結部の一端辺とが、前記第１ヒンジ連結部を介して連結されていることが好ましい（発明３）。
【００１２】
上記発明（発明１〜３）においては、前記第２取付部及び前記連結部がいずれも平板形状を有しており、前記第２取付部の一端辺と、前記連結部の一端辺とが、前記第２ヒンジ連結部を介して連結されていることが好ましい（発明４）。
【００１３】
上記発明（発明１〜４）においては、前記連結部がＮ個のリンク構成部材とＮ−１個のリンク連結部とを備え、前記Ｎ個のリンク構成部材のそれぞれが前記Ｎ−１個のリンク連結部を介して隣接するリンク構成部材と折り重ね可能に連結されていてもよい（発明５）。
【００１４】
上記発明（発明５）においては、前記Ｎ個のリンク構成部材がいずれも平板形状を有しており、前記Ｎ個のリンク構成部材のそれぞれの一端辺と、隣接するリンク構成部材の一端辺とが、前記Ｎ−１個のリンク連結部を介して連結されていることが好ましい（発明６）。
【００１５】
本発明は第二に、光源となるＬＥＤ素子が実装されたＬＥＤ実装基板を備えた照明装置本体と、前記ＬＥＤ実装基板に電力を供給する電源ユニットと、発明１〜６として記載の電源ユニット取付部材と、を備え、前記電源ユニット取付部材によって前記照明装置本体に前記電源ユニットが取り付けられている照明装置を提供する（発明７）。
【００１６】
上記発明（発明７）によれば、電源ユニット取付部材を第１取付部、第２取付部、連結部、第１ヒンジ連結部、第２ヒンジ連結部からなるリンク機構によって構成することにより、照明装置本体に対する電源ユニットの位置を、例えば１８０度反転した位置に移動させる等、容易に移動させることができるため、照明装置本体に取り付ける電源ユニットの位置を取付工事段階で簡単に調節できる。
【００１７】
上記発明（発明７）においては、前記電源ユニット取付部材が、前記照明装置本体の長手方向中心を外した位置に取り付けられていてもよい（発明８）。また、上記発明（発明７、８）においては、前記電源ユニット取付部材が、前記照明装置本体の短手方向中心を外した位置に取り付けられていてもよい（発明９）。
【００１８】
照明装置を天井面に取り付ける際、照明装置の長手方向及び短手方向の中心線上には天井部材やアンカーボルト等が配置されていることが多い。上記発明（発明８、９）によれば、照明装置本体の長手方向及び／又は短手方向中心を外した位置に電源ユニット取付部材を取り付けることにより、天井部材やアンカーボルト等との干渉を避けやすくなり、電源ユニットの位置調整の自由度を高めることができる。
【００１９】
上記発明（発明７〜９）においては、前記電源ユニット取付部材が、前記照明装置本体に対してその取付面上を回動可能に取り付けられていてもよい（発明１０）。また、上記発明（発明７〜１０）においては、前記電源ユニットが、前記電源ユニット取付部材に対してその取付面上を回動可能に取り付けられていてもよい（発明１１）。
【００２０】
上記発明（発明１０、１１）によれば、電源ユニットの位置調整範囲を回転方向にまで拡張することができるため、電源ユニットの位置調整の自由度をより高めることができる。
【発明の効果】
【００２１】
本発明の電源ユニット取付部材及び照明装置は、照明装置本体に取り付ける電源ユニットの位置を取付工事段階で簡単に調節できる。
【図面の簡単な説明】
【００２２】
【図１】本実施形態に係る照明装置の構造を示す概略外観図である。
【図２】本実施形態に係る電源ユニット取付部材の構造を示す概略外観図である。
【図３】同電源ユニット取付部材を用いて照明装置本体に電源ユニットを取り付けた照明装置を天井面に設置した状態を示す模式図（その１）である。
【図４】同電源ユニット取付部材を用いて照明装置本体に電源ユニットを取り付けた照明装置を天井面に設置した状態を示す模式図（その２）である。
【図５】同電源ユニット取付部材を用いて照明装置本体に電源ユニットを取り付けた照明装置を天井面に設置した状態を示す模式図（その３）である。
【図６】同電源ユニット取付部材を用いて照明装置本体に電源ユニットを取り付けた照明装置を天井面に設置した状態を示す模式図（その４）である。
【図７】同電源ユニット取付部材を用いて照明装置本体に電源ユニットを取り付けた照明装置を天井面に設置する過程を示す模式図である。
【図８】同電源ユニット取付部材を用いて照明装置本体に対して電源ユニットが面方向に回転する様子を示す模式図である。
【図９】従来の照明装置を天井板に設けた開口部に取り付ける様子を示す模式図である。
【図１０】従来の照明装置をメッシュパネル天井に取り付ける様子を示す模式図である。
【発明を実施するための形態】
【００２３】
以下、本発明の実施形態を図面に基づいて詳細に説明する。図１は本実施形態に係る照明装置１００（平板照明装置）の構造を示す概略外観図であり、照明装置１００は、照明装置本体１と、電源ユニット２と、電源ユニット２を照明装置本体１に取り付けるための電源ユニット取付部材３とから構成されている。
【００２４】
照明装置本体１は、発光部１１と、外枠部材１２と、補強部材１３と、Ｖ字バネ１４と、から構成されている。発光部１１は、導光板と反射シートとの積層構造を有し、導光板の側端部に光源となるＬＥＤ素子（不図示）が実装された長尺状のＬＥＤ実装基板（不図示）が配置されてなるものである。発光部１１を構成する導光板は平面視矩形の平板状であり、床側の平板面に出射光面を有し、出射光面とは反対側の平板面に反射シートが積層されている。
【００２５】
外枠部材１２は、反射シートを積層した導光板の側端面を四辺が取り囲むように発光部１１が嵌め込まれる平面視矩形のフレーム部材である。
【００２６】
補強部材１３は細長い平板形状を有する長尺状の部材であり、外枠部材１２の対向する二つの長辺をわたすように配置され、両端部が外枠部材１２の対向する二つの長辺に固定されている。本実施形態では、三つの補強部材１３が配置されており、中央の補強部材１３に電源ユニット取付部材３が取り付けられている。
【００２７】
Ｖ字バネ１４は、照明装置１００を天井面に取り付けられた固定金具に脱着自在に取り付けるためのものであり、外枠部材１２に四つのＶ字バネ１４が設けられている。
【００２８】
なお、本実施形態における照明装置１００は平板照明装置であるが、本願発明の対象となる照明装置はこれに限られるものではなく、例えば、天井面に取り付けられた取付部材（ベース部材）に、ＬＥＤ実装基板が内蔵されたカバーユニットを着脱自在に取り付けてなるベースライト等の、光源を駆動するための電力を光源部に供給するための電源ユニットが光源部の裏側に取り付けられる照明装置にも本願発明は適用可能である。
【００２９】
電源ユニット２は、照明装置本体１の発光部１１を構成するＬＥＤ素子（不図示）を駆動するための電力をＬＥＤ実装基板（不図示）に供給するものであり、電力会社からビル、マンション等の建造物に供給された交流電流を直流電流に変換するとともに、電流値が一定になるように制御するための回路や放熱部材等が、略直方体形状のケーシング内に収められている。電源ユニット２には、建造物に配設された電源ケーブルに公知の接続コネクタ等を用いて繋がれる電源入力部（不図示）と、ＬＥＤ実装基板へと電力を供給するための出力ケーブル２１とが設けられている。出力ケーブル２１は公知の接続コネクタ等を用いてＬＥＤ実装基板に繋がれる。
【００３０】
電源ユニット取付部材３は、電源ユニット２を照明装置本体１に取り付けるためのものであり、例えばステンレス、アルミニウム合金等の金属製とすることができる。本実施形態における電源ユニット取付部材３は、図２に示すように、照明装置本体１が取り付けられる第１取付プレート３１と、電源ユニット２が取り付けられる第２取付プレート３２と、第１取付プレート３１と第２取付プレート３２とを連結する連結部３３とを備える。
【００３１】
第１取付プレート３１への照明装置本体１の取付は、照明装置本体１の中央の補強部材１３と第１取付プレート３１とに貫通孔を貫設し、リベット締めすることにより行うが、これに限られるものではなく、他の公知の固定手段（ビス止め、接着剤等）を用いてもよい。リベット締めすることにより、電源ユニット取付部材３が、照明装置本体１に対してその取付面上を回動可能に取り付けられることになる。
【００３２】
また、第２取付プレート３２への電源ユニット２の取付は公知の固定手段（ビス止め、接着剤等）を用いることができるが、例えば電源ユニット２を第２取付プレート３２とは別の板状部材に固定し、当該板状部材と第２取付プレート３２とに貫通孔を貫設し、リベット締めすることにより行ってもよい。リベット締めする場合、別の板状部材に固定された電源ユニット２が、電源ユニット取付部材３に対してその取付面上を回動可能に取り付けられることになる。
【００３３】
第１取付プレート３１と連結部３３とは第１ヒンジ連結部３４を介して折り重ね可能に連結されており、第２取付プレート３２と連結部３３とは第２ヒンジ連結部３５を介して折り重ね可能に連結されている。また、連結部３３は、二つのリンク構成部材、すなわち第１リンクプレート３３１及び第２リンクプレート３３２と、一つのリンク連結部３３３とを備え、第１リンクプレート３３１と第２リンクプレート３３２とはリンク連結部３３３を介して折り重ね可能に連結されている。
【００３４】
第１取付プレート３１、第２取付プレート３２、第１リンクプレート３３１及び第２リンクプレート３３２は、いずれも平面視略矩形の平板形状を有する。第１取付プレート３１の一端辺と、第１リンクプレート３３１の一端辺とが、第１ヒンジ連結部３４を介して連結されており、第２取付プレート３２の一端辺と、第２リンクプレート３３２の一端辺とが、第２ヒンジ連結部３５を介して連結されている。また、第１リンクプレート３３１の第１取付プレート３１が連結されている一端辺に対向する一端辺と、第２リンクプレート３３２の第２取付プレート３２が連結されている一端辺に対向する一端辺とが、リンク連結部３３３を介して連結されている。
【００３５】
本実施形態においては、第１ヒンジ連結部３４の回動軸と第２ヒンジ連結部３５の回動軸とが平行であり、また、リンク連結部３３３の回動軸も第１ヒンジ連結部３４及び第２ヒンジ連結部３５の回動軸と平行になっている。そのため、第１取付プレート３１、第２取付プレート３２、第１リンクプレート３３１及び第２リンクプレート３３２を同一面上に並べるように展開すると、電源ユニット取付部材３は平面視略矩形の一枚のプレート状になる。
【００３６】
第１ヒンジ連結部３４、第２ヒンジ連結部３５及びリンク連結部３３３はいずれも公知のヒンジ連結構造を以って実現される。例えば第１ヒンジ連結部３４は、第１取付プレート３１の一端辺を一または二以上の径Ｒを有する円筒状部に形成するとともに第１リンクプレート３３１の一端辺を一または二以上の同一の径Ｒを有する円筒状部に形成し、径Ｒの円筒状部に摺接する径を有する一本の軸部材をそれぞれの円筒状部を咬合させた状態で円筒状部に挿通させることによりヒンジ連結してもよいし、別個の蝶番部材を第１取付プレート３１及び第１リンクプレート３３１の間に配してそれぞれに繋止することによりヒンジ連結してもよい。第２ヒンジ連結部３５及びリンク連結部３３３も同様である。
【００３７】
本実施形態における電源ユニット取付部材３は、四枚のプレート状部材を三つのヒンジ連結構造で連結しているが、これに限られるものではなく、連結部３３のリンク構成部材（第１リンクプレート３３１、第２リンクプレート３３２）の数と、リンク構成部材を連結するヒンジ連結部（リンク連結部３３３）の数を増減させることにより、照明装置１００の種類やサイズ、設置場所等の特性に合わせた電源ユニット取付部材３を設計することができる。このとき、連結部３３がＮ個のリンク構成部材から構成されていれば、リンク構成部材の数よりも一つ少ないＮ−１個のヒンジ連結部を連結部３３が有することとなる。
【００３８】
続いて、電源ユニット取付部材３を用いて照明装置本体１に電源ユニット２を取り付けた照明装置１００を天井面に設置する様子を図３〜図６に示す。図３、図４は天井板Ｃに設けられた開口部に照明装置１００を設置する様子を示す模式図であり、天井部材４から延びる吊りボルトに固定された取付金具や、その取付金具に取り付けられる照明装置１００のＶ字バネ１４は表示を省略している。天井部材４は横桟４１と縦桟４２とを例えば約７００ｍｍ間隔で格子状に組み上げてなるものである。
【００３９】
図３に示すように、天井板Ｃに設けられた開口部に照明装置１００を設置しようとすると、照明装置本体１の裏側に配置される電源ユニット２が天井部材４等と干渉してしまうおそれがある。図３において破線で示された左から２番目の縦桟４２Ａが存在すれば、電源ユニット２が天井部材４に干渉してしまい、そのままでは照明装置１００を設置することができない。
【００４０】
ここで、電源ユニット取付部材３のリンク機構を用いて電源ユニット２の位置を調整する。具体的には、図４に示すように、第１ヒンジ連結部３４あるいはリンク連結部３３３を回転軸として電源ユニット２の取り付けられた第２取付プレート３２を反転させるように図４中の右側に移動させる。本実施形態に係る電源ユニット取付部材３を用いれば、照明装置１００の天井面への取付工事中であっても、電源ユニット２の位置を簡単に調節でき、電源ユニット２と天井部材４とが干渉してしまうことを避けることができる。
【００４１】
図５及び図６は金属棒を格子状に配置したメッシュパネル５で構成された天井面に照明装置１００を設置する様子を示す模式図であり、メッシュパネル５にフックで固定された取付金具や、その取付金具に取り付けられる照明装置１００のＶ字バネ１４は表示を省略している。メッシュパネル５は、あらかじめ上方から吊設したＴバー６を格子状に組み、その上に載置される構造となっている。
【００４２】
メッシュパネル５に照明装置１００を設置する場合、図７に示すように、電源ユニット取付部材３のリンク機構を用いて電源ユニット２を立てながらメッシュパネル５の格子の空隙から挿し込み、電源ユニット２はメッシュパネル５の上側に配置されるようにする。このようにすることで、照明装置１００の照明装置本体１だけがメッシュパネル５の下側に位置した状態で、照明装置１００をメッシュパネル５に設置することが可能となるため、下方向に照明装置１００が張り出してしまうことを回避できる。
【００４３】
例えば図５に示すように、電源ユニット取付部材３のリンク機構を用いれば、第１リンクプレート３３１及び第２リンクプレート３３２によってＴバー６を跨がせ、Ｔバー６との干渉を避けて電源ユニット２をメッシュパネル５の上側に配置することもできる。また、図６に示すように、メッシュパネル５の上側にダクト等の干渉物７が存在している場合、第１ヒンジ連結部３４あるいはリンク連結部３３３を回転軸として電源ユニット２の取り付けられた第２取付プレート３２を反転させるように図４中の右側に移動させることにより、干渉物７を避けて電源ユニット２をメッシュパネル５の上側に配置することもできる。
【００４４】
なお、図８に示すように、電源ユニット取付部材３の照明装置本体１への取付位置は、照明装置本体１の長手方向中心を外した位置、かつ照明装置本体１の短手方向中心を外した位置とすることが好ましい。照明装置１００を天井面に取り付ける際、照明装置１００の長手方向及び短手方向の中心線上には天井部材やアンカーボルト等が配置されていることが多いため、照明装置本体１の長手方向及び／又は短手方向中心を外した位置に電源ユニット取付部材３を取り付けることにより、天井部材やアンカーボルト等との干渉を避けやすくなり、電源ユニット２の位置調整の自由度を高めることができる。
【００４５】
さらに本実施形態では、前述のように、電源ユニット取付部材３が、照明装置本体１に対してその取付面上を回動可能に取り付けられているため、電源ユニット２の位置調整範囲を回転方向にまで拡張することができるため、電源ユニット２の位置調整の自由度をより高めることができる。電源ユニット２を第２取付プレート３２とは別の板状部材に固定し、当該板状部材と第２取付プレート３２とに貫通孔を貫設し、リベット締めすれば、別の板状部材に固定された電源ユニット２が、電源ユニット取付部材３に対してその取付面上を回動可能に取り付けられることになるため、電源ユニット２の位置調整の自由度をより高めることもできる。
【００４６】
以上、本発明に係る照明装置について図面に基づいて説明してきたが、本発明は上記実施形態に限定されることはなく、種々の変更実施が可能である。
【００４７】
例えば、本実施形態における第１取付プレート３１、第２取付プレート３２、第１リンクプレート３３１及び第２リンクプレート３３２はそれぞれ薄い板状部材であるが、これに限られることはなく、厚みのある直方体形状の部材として、電源ユニット２からＬＥＤ実装基板へと電力を供給するための出力ケーブル２１をその内部に通す構造としてもよいし、それぞれの形状を必ずしも平面視略矩形とする必要もない。
【符号の説明】
【００４８】
１００  照明装置
１  照明装置本体
２  電源ユニット
３  電源ユニット取付部材
３１  第１取付プレート（第１取付部）
３２  第２取付プレート（第２取付部）
３３  連結部
３３１  第１リンクプレート（リンク構成部材）
３３２  第２リンクプレート（リンク構成部材）
３３３  リンク連結部
３４  第１ヒンジ連結部
３５  第２ヒンジ連結部
４  天井部材
４１  横桟
４２  縦桟
５  メッシュパネル
６  Ｔバー
７  干渉物
【図１】
2019197623.tif 000003
【図２】
2019197623.tif 000004
【図３】
2019197623.tif 000005
【図４】
2019197623.tif 000006
【図５】
2019197623.tif 000007
【図６】
2019197623.tif 000008
【図７】
2019197623.tif 000009
【図８】
2019197623.tif 000010
【図９】
2019197623.tif 000011
【図１０】
2019197623.tif 000012